【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
中央にマグネットを埋設保持した多角形の平面部と、その多角形の平面部における外周の直線状の各辺から屈曲して形成される複数の平坦な傾斜部とからなり、
上記平面部と上記傾斜部とは、その境界の稜線で形成される各支点部にて上記平面部を磁気吸着可能で平坦な保持部材上で回動させることができると共に、回動時に上記傾斜部を上記保持部材上に隙間無く密着させるように形成してなり、
上記傾斜部を上記保持部材上に隙間無く密着させて上記平面部を回動させた状態で、上記平面部より広い幅の紙片の中央部を挿入すると、該紙片は、左右を上記平面部から露出した状態で上記稜線にて形成される上記支点部の手前に当接して位置決され、さらに上記傾斜部の密着を解除することにより上記平面部が上記保持部材に磁気吸着することによって位置決めされた状態で挟持されることを可能となし、
同手順で、複数の紙片を平面部の周囲に多角形状に形成される複数の支点部を用いて位置をずらせて掲示できると共に、その状態から上記傾斜部の一つを上記保持部材方向に押圧すると、該押圧方向に形成された上記支点部で位置決めされた紙片以外の全ての紙片は挟着保持され、該押圧方向に形成された上記支点部で位置決めされた紙片のみ抜き取り可能となることを特徴とするマグネットホルダー
【請求項２】
平面部は三角形乃至五角形としたことを特徴とする請求項１に記載のマグネットホルダー
【請求項３】
中央にマグネットを埋設保持した平面部と、その上下に形成された平行な二辺から屈曲して形成される二つの平坦な傾斜部とからなり
上記平面部と上記傾斜部とは、その境界の稜線で形成される各支点部にて上記平面部を磁気吸着可能で平坦な保持部材上にて回動させることができると共に、回動時に上記傾斜部を上記保持部材上に隙間無く密着させるように形成してなり、
上記傾斜部を上記保持部材上に隙間無く密着させて平面部を回動させた状態で、紙片を挿入すると、該紙片は、上記稜線で形成される支点部の手前で当接して位置決され、さらに上記傾斜部の密着を解除することにより上記平面部が上記保持部材に磁気吸着することによって位置決めされた状態で挟持されることを可能となし、
同手順で、紙片を上下の二箇所で掲示できると共に、その状態から上記傾斜部の一方を上記保持部材方向に押圧すると、上記傾斜部の他方に形成された支点部で位置決めされた紙片は挟着保持され、上記傾斜部の一方に形成された支点部で位置決めされた紙片のみ抜き取り可能となることを特徴とするマグネットホルダー
【請求項４】
各傾斜部の幅は、各支点部を形成する稜線を挟んで対向する平面部の幅と略同等に形成したことを特徴とする請求項１〜３のいずれかに記載のマグネットホルダー
【手続補正２】
【補正対象書類名】明細書
【補正対象項目名】全文
【補正方法】変更
【補正の内容】
【発明の詳細な説明】
【発明の名称】マグネットホルダー
【技術分野】
【０００１】
本発明は、紙などを挟持できるマグネットホルダーに関する。
【背景技術】
【０００２】
従来のマグネットホルダーは、その使用の際、マグネットホルダーを保持するための冷蔵庫のドア等、スチール製の保持部材に紙片を置いて、その上から紙片を保持するためにその都度マグネットホルダーのマグネットを冷蔵庫のドア等から引離して紙片上に再び戴置して紙を透過した磁力で紙片をマグネットホルダーとドア等の保持部材との間に挟持するようにするのが主であった。
またマグネットをドア等の保持部材から引離さずにシーソーのように支点を中心としてマグネットホルダーを回動傾斜させるシーソーマグネット式仮止め用具が提案されている（例えば、特許文献１）。
このマグネットホルダーによれば、シーソー状に交互に磁着する構造であり、保持部材に磁着している側の面によって一方向から挿入された紙片のみが有効に磁着挟持されるが、保持部材に磁着していない側の面は浮いていて保持部材にその他の紙片を挟持することができない。
【特許文献１】特開２０００−３１８３６２号公報
【発明の開示】
【発明が解決しようとする課題】
【０００３】
従来のマグネットホルダーには、次のような欠点があった。
（イ）磁着挟持するときマグネットホルダー自体を冷蔵庫の面から離して再び、紙片の上に戴置磁着挟持しなければならなかった。又紙片を外すとき、磁着挟持している紙片全てを一旦外さなければならなかった。
（ロ）数枚の紙片を重ねて挟持できるが一番上の紙片しか見えず、重要なメモを見落とすことがあり、一枚ずつ紙片が見えるようにするためには個別のマグネットホルダーが必要であった。
（ハ）紙片を重ねて中央上部を磁着挟持するものが主で、紙片は一定の向きにまとめて磁着挟持するものであった。
【課題を解決するための手段】
【０００４】
本発明はこれらの欠点を解決したものであって、中央にマグネットを埋設保持した多角形の平面部と、その多角形の平面部における外周の直線状の各辺から屈曲して形成される複数の平坦な傾斜部とからなり、平面部と傾斜部とは、その境界の稜線で形成される各支点部にて平面部を磁気吸着可能で平坦な保持部材上で回動させることができると共に、回動時に傾斜部を上記保持部材上に隙間無く密着させるように形成してなり、傾斜部を保持部材上に隙間無く密着させて平面部を回動させた状態で、平面部より広い幅の紙片の中央部を挿入すると、その紙片は、左右を平面部から露出した状態で稜線にて形成される支点部の手前に当接して位置決され、さらに傾斜部の密着を解除することにより平面部が保持部材に磁気吸着することによって位置決めされた状態で挟持されることを可能となし、同手順で、複数の紙片を平面部の周囲に多角形状に形成される複数の支点部を用いて位置をずらせて掲示できると共に、その状態から傾斜部の一つを保持部材方向に押圧すると、押圧方向に形成された支点部で位置決めされた紙片以外の全ての紙片は挟着保持され、押圧方向に形成された支点部で位置決めされた紙片のみ抜き取り可能となる構成のマグネットホルダーとして実施することができる。
なお、平面部は三角形乃至五角形とするのが好ましい。
また、中央にマグネットを埋設保持した平面部と、その上下に形成された平行な二辺から屈曲して形成される二つの平坦な傾斜部とからなり、平面部と傾斜部とは、その境界の稜線で形成される各支点部にて平面部を磁気吸着可能で平坦な保持部材上にて回動させることができると共に、回動時に傾斜部を保持部材上に隙間無く密着させるように形成してなり、傾斜部を保持部材上に隙間無く密着させて平面部を回動させた状態で、紙片を挿入すると、その紙片は、稜線で形成される支点部の手前で当接して位置決され、さらに傾斜部の密着を解除することにより平面部が保持部材に磁気吸着することによって位置決めされた状態で挟持されることを可能となし、同手順で、紙片を上下の二箇所で掲示できると共に、その状態から傾斜部の一方を保持部材方向に押圧すると、傾斜部の他方に形成された支点部で位置決めされた紙片は挟着保持され、傾斜部の一方に形成された支点部で位置決めされた紙片のみ抜き取り可能となる構成のマグネットホルダーとしても実施できる。
そして、これらのマグネットホルダーにおける傾斜部の幅は、各支点部を形成する稜線を挟んで対向する平面部の幅と略同等に形成することもできる。
【発明の効果】
【０００５】
一つのマグネットホルダーで、ホルダー自体を外すことなく、連絡文書や通知ハガキや招待状等紙片の大きさや重要度により、分類して多方向から挿入磁着挟持できるようにしたもので、紙片の一部は重なるが大部分が視覚できて各メモの内容が判別できる効果を奏する。
さらにまた、多方向から各々挿入磁着挟持した紙片の内、外したい紙片があるとき、外したい紙片に対応した平坦な傾斜部の押圧面を押圧することで、稜線を支点として回動し、外したい紙片のみを外すことができる。この紙片を外すために傾斜部の押圧面を押圧すことが、他の方向から挿入磁着挟持している紙片を押圧することにもなることから、他の方向から挿入磁着挟持している紙片は確りと保持されるという効果を奏する。
【発明を実施するための最良の形態】
【０００６】
以下、実施例を用いて説明する。
【実施例１】
【０００７】
以下、図１から図５を参照して、本発明の実施例１について説明する。
マグネットホルダー１は、非磁性体で形成された適宜な合成樹脂、例えば、アクリル樹脂を成形材料として一体成形されたホルダー２と、このホルダー２に埋設保持されたマグネット３とから構成されている。このホルダー２には図１に示すように、マグネット３を取り囲むように平坦な傾斜部４（４ａ、４ｂ、４ｃ）、平面部５（５ａ、５ｂ、５ｃ）が設けられている。
前記平坦な傾斜部４ａ、４ｂ、４ｃと平面部５との平面が各々交差する稜線が支点部６（６ａ、６ｂ、６ｃ）を形成している。すなわち、この支点部６ａ、６ｂ、６ｃを境界として平坦な傾斜部４ａ、４ｂ、４ｃと平面部５とは各々くの字状に二つの平面を形成している。なお、ホルダー２における傾斜部４ａ、４ｂ、４ｃに対向する側には押圧面７（７ａ、７ｂ、７ｃ）が設けられている。そして、支点部６ａ、６ｂ、６ｃは、押圧面７ａ、７ｂ、７ｃを押圧したときホルダーが回動しやすいように僅かな丸みが形成されている。
また、平坦な傾斜部４ａ、４ｂ、４ｃは、たとえば冷蔵庫のドア面等のような保持部材８の面と隙間がないように密着する形状に形成されている。
紙片Ｐは図２においては１枚の紙片Ｐ（Ｐａ）のみが示されていて、図５においては３枚の紙片Ｐ（Ｐａ、Ｐｂ、Ｐｃ）が示されている。
さらに、ホルダー２とマグネット３の全体を覆うように合成樹脂でコーティングしても良い。
なお、各傾斜部４ａ、４ｂ、４ｃの幅については、図１〜図５に示されるように稜線で形成される支点部６ａ、６ｂ、６ｃを挟んで対向する平面部５の幅と略同等とすることが基本となる。
そして、各傾斜部の幅については、後述する実施例２〜実施例３についても同様であるので、これらの実施例における説明は省略する。
【０００８】
本発明は、以上のような構造で、これを使用して紙片Ｐａを磁着挟持するときは、図２に示す支点部（６ａ）を支点として傾斜部４ａの押圧面７ａを一方の手の指で冷蔵庫のドア面に向かって回動押圧するとマグネット３を囲む平面部５ａ、５ｂ、５ｃが図３のように浮き隙間９ができる。
この隙間９は傾斜面４ａが冷蔵庫のドア面との間に隙間がないように密着押圧されるので支点部６ａまでの隙間となる。図５に示す紙片Ｐａを他方の手で持ちながら隙間９にすべり込ませ、支点部６ａに当接するまで挿入する。
そして押圧している指を弛めるとマグネット３の磁力で紙片Ｐａが冷蔵庫のドア面に吸着され、マグネットホルダー１と冷蔵庫のドア面との間の磁力を利用して、紙片Ｐａが挟持される。
【０００９】
同様に図１の支点部６ｂを支点として傾斜部４ｂの押圧面７ｂを一方の手の指で冷蔵庫のドア面に向かって回動押圧するとマグネット３を囲む平面部５ａ、５ｂ、５ｃが図３のように浮き隙間９ができる。
この隙間９は傾斜面４ｂが冷蔵庫のドア面との間に隙間がないように密着押圧されるので支点部６ｂまでの隙間となる。図５に示す紙片Ｐｂを他方の手で持ちながら隙間９にすべり込ませ、支点部６ｂに当接するまで挿入する。
このとき、先に支点部６aまで挿入挟持している紙片Ｐａが、傾斜部４ｂの面に押圧されているので、紙片Ｐａが確りと固定されたままであって外れることはない。
そして押圧している指を弛めるとマグネット３の磁力で紙片Ｐｂが冷蔵庫のドア面に吸着され、マグネットホルダー１と冷蔵庫のドア面との間の磁力を利用して、紙片Ｐａ、Ｐｂとが共に挟持される。
【００１０】
同様に図１の支点部６ｃを支点として傾斜部４ｃの押圧面７ｃを一方の手の指で冷蔵庫のドア面に向かって回動押圧するとマグネット３を囲む平面部５ａ、５ｂ、５ｃが図３のように浮き隙間９ができる。
この隙間９は傾斜部４ｃが冷蔵庫のドア面との間に隙間がないように密着押圧されるので支点部６ｃまでの隙間となる。そこに紙片Ｐｃを他方の手で持ちながら隙間９にすべり込ませ、支点部６ｃに当接するまで挿入する。
このとき、先に支点部６a、６ｂまで挿入挟持している紙片Ｐａ、Ｐｂが傾斜部４ｃの面に押圧されるので、紙片Ｐａ、Ｐｂが確りと固定されたままであって外れることはない。
そして押圧している指を弛めるとマグネット３の磁力で紙片Ｐｃが冷蔵庫のドア面に吸着され、マグネットホルダー１と冷蔵庫のドア面との間の磁力を利用して、紙片Ｐａ、Ｐｂ、Ｐｃとが共に挟持される。
【００１１】
紙片を外すとき、例えば図５に示す紙片Ｐａを外す場合は、支点部６ａを支点として一方の手の指で押圧面７ａを冷蔵庫のドア面に向かって回動押圧し、傾斜部４ａを冷蔵庫のドア面まで密着させると、磁着挟持している平面部５ａ、５ｂ、５ｃが浮くので他方の手で紙片Ｐａを外せる。
一方同時に他方向から挿入挟持されている紙片Ｐｂ、Ｐｃは傾斜部４ａの面と冷蔵庫の面で押圧されたまま保持されているので、紙片Ｐｂ、Ｐｃは外れることがなく保持されている。
【００１２】
同様に紙片Ｐｂを外すときは、支点部６ｂを支点として一方の手の指で押圧面７ｂを冷蔵庫のドア面に向かって回動押圧し、傾斜部４ｂを冷蔵庫のドア面まで密着させると、磁着挟持している平面部５ａ、５ｂ、５ｃが浮くので他方の手で紙片Ｐｂを外せる。
一方同時に他方向から挿入挟持されている紙片Ｐｃは傾斜部４ｂの面と冷蔵庫の面で押圧されたまま保持されているので、紙片Ｐｃは外れることがなく保持されている。
【００１３】
同様に紙片Ｐｃを外すときは、支点部６ｃを支点として一方の手の指で押圧面７ｃを冷蔵庫のドア面に向かって回動押圧し傾斜部４ｃを冷蔵庫のドア面まで密着させると、磁着挟持している平面部５ａ、５ｂ、５ｃが浮くので他方の手で紙片Ｐｃを外せる。
以上のように本実施例においては、例えば、連絡文書や通知ハガキやメモ等紙片の大きさや重要度により、分類して三方向から挿入磁着挟持できて、外すときは一方向から挿入磁着挟持している紙片のみを外し、他の方向からの挿入磁着挟持している紙片は挟持したままにできる三方向マグネットホルダーを得ることができる。
尚、事例は、順をおって説明しているが、使用する場合においては、順位にこだわることなく、紙片を必要な場所に挿入し、必要な紙片を外す使用方法になる。
【実施例２】
【００１４】
つぎに、図６から図８を参照して、本発明の実施例２について説明する。
マグネットホルダー１は、非磁性体で形成された適宜な合成樹脂、例えば、アクリル樹脂を成形材料として一体成形されたホルダー２と、このホルダー２に埋設保持されたマグネット３とから構成されている。このホルダー２には図６に示すように、マグネット３を取り囲むように平坦な傾斜部４（４ａ、４ｂ、４ｃ、４ｄ）、平面部５（５ａ、５ｂ、５ｃ、５ｄ）が設けられている。
前記平坦な傾斜部４ａ、４ｂ、４ｃ、４ｄと平面部５との平面が各々交差する稜線が支点部６（６ａ、６ｂ、６ｃ、６ｄ）を形成している。すなわち、この支点部６ａ、６ｂ、６ｃ、６ｄを境界として平坦な傾斜部４ａ、４ｂ、４ｃ、４ｄと平面部５とは各々くの字状に二つの平面を形成している。
なお、ホルダー２における傾斜部４ａ、４ｂ、４ｃ、４ｄに対向する側には押圧面７（７ａ、７ｂ、７ｃ、７ｄ）が設けられている。そして、支点部６ａ、６ｂ、６ｃ、６ｄは、押圧面７ａ、７ｂ、７ｃ、７ｄを押圧したときホルダーが回動しやすいように僅かな丸みが形成されている。
また平坦な傾斜部４ａ、４ｂ、４ｃ、４ｄは、たとえば冷蔵庫のドア面等のような保持部材８の面と隙間がないように密着する形状に形成されている。
紙片Ｐは図６においては４枚の紙片Ｐ（Ｐａ、Ｐｂ、Ｐｃ、Ｐｄ）が示され、図７においては１枚の紙片Ｐ（Ｐａ）のみが示されていている。なおホルダー２とマグネット３の全体を覆うように合成樹脂でコーティングしても良い。
【００１５】
本発明は、以上のような構造で、これを使用して紙片Ｐａを磁着挟持するときは、図６に示す支点部（６ａ）を支点として傾斜部４ａの押圧面７ａを一方の手の指で冷蔵庫のドア面に向かって回動押圧するとマグネット３を囲む平面部５ａ、５ｂ、５ｃ、５ｄが図８のように浮き隙間９ができる。
この隙間９は傾斜面４ａが冷蔵庫のドア面との間に隙間がないように密着押圧されるので支点部６ａまでの隙間となる。図６に示す紙片Ｐａを他方の手で持ちながら隙間９にすべり込ませ、支点部６ａに当接するまで挿入する。
そして押圧している指を弛めるとマグネット３の磁力で紙片Ｐａが冷蔵庫のドア面に吸着され、マグネットホルダー１と冷蔵庫のドア面との間の磁力を利用して、紙片Ｐａが挟持される。
【００１６】
同様に図６の支点部６ｂを支点として傾斜部４ｂの押圧面７ｂを一方の手の指で冷蔵庫のドア面に向かって回動押圧するとマグネット３を囲む平面部５ａ、５ｂ、５ｃ、５ｄが図８のように浮き隙間９ができる。
この隙間９は傾斜部４ｂが冷蔵庫のドア面との間に隙間がないように密着押圧されるので支点部６ｂまでの隙間となる。そこに紙片Ｐｂを他方の手で持ちながら隙間９にすべり込ませ、支点部６ｂに当接するまで挿入する。
このとき、先に支点部６aまで挿入挟持している紙片Ｐａが傾斜部４ｂの面に押圧されるので、紙片Ｐａが確りと固定されたままであって外れることはない。
そして押圧している指を弛めるとマグネット３の磁力で紙片Ｐｂが冷蔵庫のドア面に吸着され、マグネットホルダー１と冷蔵庫のドア面との間の磁力を利用して、紙片Ｐａ、Ｐｂが共に挟持される。
【００１７】
同様に図６の支点部６ｃを支点として傾斜部４ｃの押圧面７ｃを一方の手の指で冷蔵庫のドア面に向かって回動押圧するとマグネット３を囲む平面部５ａ、５ｂ、５ｃ、５ｄが図８のように浮き隙間９ができる。
この隙間９は傾斜部４ｃが冷蔵庫のドア面との間に隙間がないように密着押圧されるので支点部６ｃまでの隙間となる。そこに紙片Ｐｃを他方の手で持ちながら隙間９にすべり込ませ、支点部６ｃに当接するまで挿入する。
このとき、先に支点部６a、６ｂまで挿入挟持している紙片Ｐａ、Ｐｂが傾斜部４ｃの面に押圧されるので、紙片Ｐａ、Ｐｂが確りと固定されたままであって外れることはない。
そして押圧している指を弛めるとマグネット３の磁力で紙片Ｐｃが冷蔵庫のドア面に吸着され、マグネットホルダー１と冷蔵庫のドア面との間の磁力を利用して、紙片Ｐａ、Ｐｂ、Ｐｃとが共に挟持される。
【００１８】
同様に図６の支点部６ｄを支点として傾斜部４ｄの押圧面７ｄを一方の手の指で冷蔵庫のドア面に向かって回動押圧するとマグネット３を囲む平面部５ａ、５ｂ、５ｃ、５ｄが図８のように浮き隙間９ができる。
この隙間９は傾斜部４ｄが冷蔵庫のドア面との間に隙間がないように密着押圧されるので支点部６ｄまでの隙間となる。そこに紙片Ｐｄを他方の手で持ちながら隙間９にすべり込ませ、支点部６ｄに当接するまで挿入する。
このとき、先に支点部６a、６ｂ、６ｃまで挿入挟持している紙片Ｐａ、Ｐｂ、Ｐｃが傾斜部４ｄの面に押圧されるので、紙片Ｐａ、Ｐｂ、Ｐｃが確りと固定されたままであって外れることはない。
そして押圧している指を弛めるとマグネット３の磁力で紙片Ｐｄが冷蔵庫のドア面に吸着され、マグネットホルダー１と冷蔵庫のドア面との間の磁力を利用して、紙片Ｐａ、Ｐｂ、Ｐｃ、Ｐｄとが共に挟持される。
【００１９】
紙片を外すとき、例えば図６に示す紙片Ｐａを外す場合は、支点部６ａを支点として一方の手の指で押圧面７ａを冷蔵庫のドア面に向かって回動押圧し、傾斜部４ａを冷蔵庫のドア面まで密着させると、磁着挟持している平面部５ａ、５ｂ、５ｃ、５ｄが浮くので他方の手で紙片Ｐａを外せる。
一方同時に他方向から挿入挟持されている紙片Ｐｂ、Ｐｃ、Ｐｄは傾斜部４ａの面と冷蔵庫の面で押圧されたまま保持されているので、紙片Ｐｂ、Ｐｃ、Ｐｄは外れることがなく保持されている。
【００２０】
同様に、図６に示す紙片Ｐｂを外す場合は、支点部６ｂを支点として一方の手の指で押圧面７ｂを冷蔵庫のドア面に向かって回動押圧し、傾斜部４ｂを冷蔵庫のドア面まで密着させると、磁着挟持している平面部５ａ、５ｂ、５ｃ、５ｄが浮くので他方の手で紙片Ｐｂを外せる。
一方同時に他方向から挿入挟持されている紙片Ｐｃ、Ｐｄは傾斜部４ｂの面と冷蔵庫の面で押圧されたまま保持されているので、紙片Ｐｃ、Ｐｄは外れることがなく保持されている。
【００２１】
同様に、図６に示す紙片Ｐｃを外す場合は、支点部６ｃを支点として一方の手の指で押圧面７ｃを冷蔵庫のドア面に向かって回動押圧し、傾斜部４ｃを冷蔵庫のドア面まで密着させると、磁着挟持している平面部５ａ、５ｂ、５ｃ、５ｄが浮くので他方の手で紙片Ｐｃを外せる。
一方同時に他方向から挿入挟持されている紙片Ｐｄは傾斜部４ｂの面と冷蔵庫の面で押圧されたまま保持されているので、紙片Ｐｄは外れることがなく保持されている。
【００２２】
同様に、図６に示す紙片Ｐｄを外す場合は、支点部６ｄを支点として一方の手の指で押圧面７ｄを冷蔵庫のドア面に向かって回動押圧し、傾斜部４ｄを冷蔵庫のドア面まで密着させると、磁着挟持している平面部５ａ、５ｂ、５ｃ、５ｄが浮くので他方の手で紙片Ｐｄを外せる。
以上のように本実施例においては、例えば、連絡文書や通知ハガキやメモ、優待券等紙片の大きさや重要度により、分類して四方向から挿入磁着挟持できて、外すときは一方向から挿入磁着挟持している紙片のみを外し、他の方向からの挿入磁着挟持している紙片は挟持したままにできる四方向マグネットホルダーを得ることができる。
尚、事例は、順をおって説明しているが、使用する場合においては、順位にこだわることなく、紙片を必要な場所に挿入し、必要な紙片を外す使用方法になる。
【実施例３】
【００２３】
つぎに、図９から図１１を参照して、本発明の実施例３について説明する。
マグネットホルダー１は、非磁性体で形成された適宜な合成樹脂、例えば、アクリル樹脂を成形材料として一体成形されたホルダー２と、このホルダー２に埋設保持されたマグネット３とから構成されている。このホルダー２には図９に示すように、マグネット３を取り囲むように平坦な傾斜部４（４ａ、４ｂ、４ｃ、４ｄ、４ｅ）、平面部５（５ａ、５ｂ、５ｃ、５ｄ、５ｅ）が設けられている。
前記平坦な傾斜部４ａ、４ｂ、４ｃ、４ｄ、４ｅと平面部５との平面が各々交差する稜線が支点部６（６ａ、６ｂ、６ｃ、６ｄ、６ｅ）を形成している。すなわち、この支点部６ａ、６ｂ、６ｃ、６ｄ、６ｅを境界として平坦な傾斜部４ａ、４ｂ、４ｃ、４ｄ、４ｅと平面部５とは各々くの字状に二つの平面を形成している。
なお、ホルダー２における傾斜部４ａ、４ｂ、４ｃ、４ｄ、４ｅに対向する側には押圧面７（７ａ、７ｂ、７ｃ、７ｄ、７ｅ）が設けられている。そして、支点部６ａ、６ｂ、６ｃ、６ｄ、６ｅは、押圧面７ａ、７ｂ、７ｃ、７ｄ、７ｅを押圧したときホルダーが回動しやすいように僅かな丸みが形成されている。
また平坦な傾斜部４ａ、４ｂ、４ｃ、４ｄ、４ｅは、たとえば冷蔵庫のドア面等のような保持部材８の面と隙間がないように密着する形状に形成されている。
紙片Ｐは図９においては５枚の紙片Ｐ（Ｐａ、Ｐｂ、Ｐｃ、Ｐｄ、Ｐｅ）が示され、図１０においては１枚の紙片Ｐ（Ｐａ）のみが示されていている。なおホルダー２とマグネット３の全体を覆うように合成樹脂でコーティングしても良い。
【００２４】
本発明は、以上のような構造で、これを使用して紙片Ｐａを磁着挟持するときは、図９に示す支点部（６ａ）を支点として傾斜部４ａの押圧面７ａを一方の手の指で冷蔵庫のドア面に向かって回動押圧するとマグネット３を囲む平面部５ａ、５ｂ、５ｃ、５ｄ、５ｅが図１１のように浮き隙間９ができる。
この隙間９は傾斜面４ａが冷蔵庫のドア面との間に隙間がないように密着押圧されるので支点部６ａまでの隙間となる。図９に示す紙片Ｐａを他方の手で持ちながら隙間９にすべり込ませ、支点部６ａに当接するまで挿入する。
そして押圧している指を弛めるとマグネット３の磁力で紙片Ｐａが冷蔵庫のドア面に吸着され、マグネットホルダー１と冷蔵庫のドア面との間の磁力を利用して、紙片Ｐａが挟持される。
【００２５】
同様に図９の支点部６ｂを支点として傾斜部４ｂの押圧面７ｂを一方の手の指で冷蔵庫のドア面に向かって回動押圧するとマグネット３を囲む平面部５ａ、５ｂ、５ｃ、５ｄ、５ｅが図１１のように浮き隙間９ができる。
この隙間９は傾斜部４ｂが冷蔵庫のドア面との間に隙間がないように密着押圧されるので支点部６ｂまでの隙間となる。そこに紙片Ｐｂを他方の手で持ちながら隙間９にすべり込ませ、支点部６ｂに当接するまで挿入する。
このとき、先に支点部６aまで挿入挟持している紙片Ｐａが傾斜部４ｂの面に押圧されるので、紙片Ｐａが確りと固定されたままであって外れることはない。
そして押圧している指を弛めるとマグネット３の磁力で紙片Ｐｂが冷蔵庫のドア面に吸着され、マグネットホルダー１と冷蔵庫のドア面との間の磁力を利用して、紙片Ｐａ、Ｐｂが共に挟持される。
【００２６】
同様に図９の支点部６ｃを支点として傾斜部４ｃの押圧面７ｃを一方の手の指で冷蔵庫のドア面に向かって回動押圧するとマグネット３を囲む平面部５ａ、５ｂ、５ｃ、５ｄ、５ｅが図１１のように浮き隙間９ができる。
この隙間９は傾斜部４ｃが冷蔵庫のドア面との間に隙間がないように密着押圧されるので支点部６ｃまでの隙間となる。そこに紙片Ｐｃを他方の手で持ちながら隙間９にすべり込ませ、支点部６ｃに当接するまで挿入する。
このとき、先に支点部６a、６ｂまで挿入挟持している紙片Ｐａ、Ｐｂが傾斜部４ｃの面に押圧されるので、紙片Ｐａ、Ｐｂが確りと固定されたままであって外れることはない。
そして押圧している指を弛めるとマグネット３の磁力で紙片Ｐｃが冷蔵庫のドア面に吸着され、マグネットホルダー１と冷蔵庫のドア面との間の磁力を利用して、紙片Ｐａ、Ｐｂ、Ｐｃとが共に挟持される。
【００２７】
同様に図９の支点部６ｄを支点として傾斜部４ｄの押圧面７ｄを一方の手の指で冷蔵庫のドア面に向かって回動押圧するとマグネット３を囲む平面部５ａ、５ｂ、５ｃ、５ｄ、５ｅが図１１のように浮き隙間９ができる。
この隙間９は傾斜部４ｄが冷蔵庫のドア面との間に隙間がないように密着押圧されるので支点部６ｄまでの隙間となる。そこに紙片Ｐｄを他方の手で持ちながら隙間９にすべり込ませ、支点部６ｄに当接するまで挿入する。
このとき、先に支点部６a、６ｂ、６ｃまで挿入挟持している紙片Ｐａ、Ｐｂ、Ｐｃが傾斜部４ｄの面に押圧されるので、紙片Ｐａ、Ｐｂ、Ｐｃが確りと固定されたままであって外れることはない。
そして押圧している指を弛めるとマグネット３の磁力で紙片Ｐｄが冷蔵庫のドア面に吸着され、マグネットホルダー１と冷蔵庫のドア面との間の磁力を利用して、紙片Ｐａ、Ｐｂ、Ｐｃ、Ｐｄとが共に挟持される。
【００２８】
同様に図９の支点部６ｅを支点として傾斜部４ｅの押圧面７ｅを一方の手の指で冷蔵庫のドア面に向かって回動押圧するとマグネット３を囲む平面部５ａ、５ｂ、５ｃ、５ｄ、５ｅが図１１のように浮き隙間９ができる。
この隙間９は傾斜部４ｅが冷蔵庫のドア面との間に隙間がないように密着押圧されるので支点部６ｅまでの隙間となる。そこに紙片Ｐｅを他方の手で持ちながら隙間９にすべり込ませ、支点部６ｅに当接するまで挿入する。
このとき、先に支点部６a、６ｂ、６ｃ、６ｄまで挿入挟持している紙片Ｐａ、Ｐｂ、Ｐｃ、Ｐｄが傾斜部４ｅの面に押圧されるので、紙片Ｐａ、Ｐｂ、Ｐｃ、Ｐｄが確りと固定されたままであって外れることはない。
そして押圧している指を弛めるとマグネット３の磁力で紙片Ｐｅが冷蔵庫のドア面に吸着され、マグネットホルダー１と冷蔵庫のドア面との間の磁力を利用して、紙片Ｐａ、Ｐｂ、Ｐｃ、Ｐｄ、Ｐｅとが共に挟持される。
【００２９】
紙片を外すとき、例えば図９に示す紙片Ｐａを外す場合は、支点部６ａを支点として一方の手の指で押圧面７ａを冷蔵庫のドア面に向かって回動押圧し、傾斜部４ａを冷蔵庫のドア面まで密着させると、磁着挟持している平面部５ａ、５ｂ、５ｃ、５ｄ、５ｅが浮くので他方の手で紙片Ｐａを外せる。
一方同時に他方向から挿入挟持されている紙片Ｐｂ、Ｐｃ、Ｐｄ、Ｐｅは傾斜部４ａの面と冷蔵庫の面で押圧されたまま保持されているので、紙片Ｐｂ、Ｐｃ、Ｐｄ、Ｐｅは外れることがなく保持されている。
【００３０】
同様に、図９に示す紙片Ｐｂを外す場合は、支点部６ｂを支点として一方の手の指で押圧面７ｂを冷蔵庫のドア面に向かって回動押圧し、傾斜部４ｂを冷蔵庫のドア面まで密着させると、磁着挟持している平面部５ａ、５ｂ、５ｃ、５ｄ、５ｅが浮くので他方の手で紙片Ｐｂを外せる。
一方同時に他方向から挿入挟持されている紙片Ｐｃ、Ｐｄ、Ｐｅは傾斜部４ｂの面と冷蔵庫の面で押圧されたまま保持されているので、紙片Ｐｃ、Ｐｄ、Ｐｅは外れることがなく保持されている。
【００３１】
同様に、図９に示す紙片Ｐｃを外す場合は、支点部６ｃを支点として一方の手の指で押圧面７ｃを冷蔵庫のドア面に向かって回動押圧し、傾斜部４ｃを冷蔵庫のドア面まで密着させると、磁着挟持している平面部５ａ、５ｂ、５ｃ、５ｄ、５ｅが浮くので他方の手で紙片Ｐｃを外せる。
一方同時に他方向から挿入挟持されている紙片Ｐｄ、Ｐｅは傾斜部４ｃの面と冷蔵庫の面で押圧されたまま保持されているので、紙片Ｐｄ、Ｐｅは外れることがなく保持されている。
【００３２】
同様に、図９に示す紙片Ｐｄを外す場合は、支点部６ｄを支点として一方の手の指で押圧面７ｄを冷蔵庫のドア面に向かって回動押圧し、傾斜部４ｄを冷蔵庫のドア面まで密着させると、磁着挟持している平面部５ａ、５ｂ、５ｃ、５ｄ、５ｅが浮くので他方の手で紙片Ｐｄを外せる。
一方同時に他方向から挿入挟持されている紙片Ｐｅは傾斜部４ｄの面と冷蔵庫の面で押圧されたまま保持されているので、紙片Ｐｅは外れることがなく保持されている。
【００３３】
同様に、図９に示す紙片Ｐｅを外す場合は、支点部６ｅを支点として一方の手の指で押圧面７ｅを冷蔵庫のドア面に向かって回動押圧し、傾斜部４ｅを冷蔵庫のドア面まで密着させると、磁着挟持している平面部５ａ、５ｂ、５ｃ、５ｄ、５ｅが浮くので他方の手で紙片Ｐｅを外せる。
以上のように本実施例においては、例えば、連絡文書や通知ハガキやメモ、優待券、会員証等紙片の大きさや重要度により、分類して五方向から挿入磁着挟持できて、外すときは一方向から挿入磁着挟持している紙片のみを外し、他の方向からの挿入磁着挟持している紙片は挟持したままにできる５方向マグネットホルダーを得ることができる。
尚、事例は、順をおって説明しているが、使用する場合においては、順位にこだわることなく、紙片を必要な場所に挿入し、必要な紙片を外す使用方法になる。
【実施例４】
【００３４】
つぎに、図１２から図１４を参照して、本発明の実施例４について説明する。
マグネットホルダー１は、非磁性体で形成された適宜な合成樹脂、例えば、アクリル樹脂を成形材料として一体成形されたホルダー２と、このホルダー２に埋設保持されたマグネット３とから構成されている。このホルダー２には図１２に示すように、マグネット３を挟むように平坦な傾斜部４（４ａ、４ｂ）、平面部５（５ａ、５ｂ）が設けられている。
前記平坦な傾斜部４ａ、４ｂと平面部５との平面が各々交差する稜線が支点部６（６ａ、６ｂ）を形成している。すなわち、この支点部６ａ、６ｂを境界として平坦な傾斜部４ａ、４ｂと平面部５とは各々くの字状に二つの平面を形成している。
なお、ホルダー２における傾斜部４ａ、４ｂに対向する側には押圧面７（７ａ、７ｂ）が設けられている。そして、支点部６ａ、６ｂは、押圧面７ａ、７ｂを押圧したときホルダーが回動しやすいように僅かな丸みが形成されている。
また平坦な傾斜部４ａ、４ｂは、たとえば冷蔵庫のドア面等のような保持部材８の面と隙間がないように密着する形状に形成されている。
紙片Ｐは図１２においては２枚の紙片Ｐ（Ｐａ、Ｐｂ）が示されていて、図１３においては１枚の紙片Ｐ（Ｐａ）のみが示されている。なおホルダー２とマグネット３の全体を覆うように合成樹脂でコーティングしても良い。
【００３５】
本発明は、以上のような構造で、これを使用して紙片Ｐａを磁着挟持するときは、図１２に示す支点部（６ａ）を支点として傾斜部４ａの押圧面７ａを一方の手の指で冷蔵庫のドア面に向かって回動押圧するとマグネット３を挟む平面部５ａ、５ｂが図１４のように浮き隙間９ができる。
この隙間９は傾斜面４ａが冷蔵庫のドア面との間に隙間がないように密着押圧されるので支点部６ａまでの隙間となる。図１２に示す紙片Ｐａを他方の手で持ちながら隙間９にすべり込ませ、支点部６ａに当接するまで挿入する。
そして押圧している指を弛めるとマグネット３の磁力で紙片Ｐａが冷蔵庫のドア面に吸着され、マグネットホルダー１と冷蔵庫のドア面との間の磁力を利用して、紙片Ｐａが挟持される。
【００３６】
同様に図１２の支点部６ｂを支点として傾斜部４ｂの押圧面７ｂを一方の手の指で冷蔵庫のドア面に向かって回動押圧するとマグネット３を囲む平面部５ａ、５ｂが図１４のように浮き隙間９ができる。
この隙間９は傾斜部４ｂが冷蔵庫のドア面との間に隙間がないように密着押圧されるので支点部６ｂまでの隙間となる。そこに紙片Ｐｂを他方の手で持ちながら隙間９にすべり込ませ、支点部６ｂに当接するまで挿入する。
このとき、先に支点部６aまで挿入挟持している紙片Ｐａが傾斜部４ｂの面に押圧されるので、紙片Ｐａが確りと固定されたままであって外れることはない。
そして押圧している指を弛めるとマグネット３の磁力で紙片Ｐｂが冷蔵庫のドア面に吸着され、マグネットホルダー１と冷蔵庫のドア面との間の磁力を利用して、紙片Ｐａ、Ｐｂが共に挟持される。
【００３７】
紙片を外すとき、例えば図１２に示す紙片Ｐａを外す場合は、支点部６ａを支点として一方の手の指で押圧面７ａを冷蔵庫のドア面に向かって回動押圧し、傾斜部４ａを冷蔵庫のドア面まで密着させると、磁着挟持している平面部５ａ、５ｂが浮くので他方の手で紙片Ｐａを外せる。
一方同時に他方向から挿入挟持されている紙片Ｐｂは傾斜部４ａの面と冷蔵庫の面で押圧されたまま保持されているので、紙片Ｐｂは外れることがなく保持されている。
【００３８】
同様に、図１２に示す紙片Ｐｂを外す場合は、支点部６ｂを支点として一方の手の指で押圧面７ｂを冷蔵庫のドア面に向かって回動押圧し、傾斜部４ｂを冷蔵庫のドア面まで密着させると、磁着挟持している平面部５ａ、５ｂが浮くので他方の手で紙片Ｐｂを外せる。
以上のように本実施例においては、例えば、連絡文書や通知ハガキやメモ等紙片の大きさや重要度により、分類して二方向から挿入磁着挟持できて、外すときは一方向から挿入磁着挟持している紙片のみを外し、他の方向からの挿入磁着挟持している紙片は挟持したままにできる二方向マグネットホルダーを得ることができる。
尚、事例は、順をおって説明しているが、使用する場合においては、順位にこだわることなく、紙片を必要な場所に挿入し、必要な紙片を外す使用方法になる。
【図面の簡単な説明】
【００３９】
【図１】本発明の吸着面から見た平面図である。
【図２】本発明によるマグネットホルダーを保持部材に取り付けて紙片を挟持した状態を示す側面図である。
【図３】本発明のマグネットホルダーを指で冷蔵庫のドア面に回動押圧し紙片を挿入している状態を示す側面図である。
【図４】図１のＡ−Ａ線に沿った断面図である。
【図５】本発明のマグネットホルダーに三方向から紙片を挟持した使用例を示す図である。
【図６】本発明のマグネットホルダーに四方向から紙片を挟持した使用例を示す図である。
【図７】図６のＡ−Ａ線に沿った断面図である。
【図８】本発明によるマグネットホルダーを指で冷蔵庫のドア面に回動押圧し紙片を挿入している状態を示す図６のＡ−Ａ線に沿った断面側面図である。
【図９】本発明のマグネットホルダーに五方向から紙片を挟持した使用例を示す図である。
【図１０】図９のＡ−Ａ線に沿った断面図である。
【図１１】本発明によるマグネットホルダーを指で冷蔵庫のドア面に回動押圧し紙片を挿入している状態を示す図９のＡ−Ａ線に沿った断面側面図である。
【図１２】本発明のマグネットホルダーに二方向から紙片を挟持した使用例を示す図である。
【図１３】図１２のＡ−Ａ線に沿った断面図である。
【図１４】本発明によるマグネットホルダーを指で冷蔵庫のドア面に回動押圧し紙片を挿入している状態を示す図１２のＡ−Ａ線に沿った断面側面図である。
【符号の説明】
【００４０】
１  マグネットホルダー
２  ホルダー
３  マグネット
４  傾斜部
５  平面部
６  支点部
７  押圧部
８  冷蔵庫のドア面等保持部材
９  隙間
Ｐ  紙片